【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
基板と、前記基板上に設けられた前記基板の長手方向に並ぶ複数の発熱体と、を有するヒータを有し、前記ヒータの熱を利用して記録材に形成された画像を加熱する像加熱部と、
前記複数の発熱体の温度を検知する複数の温度検知素子と、
前記複数の温度検知素子のそれぞれによって検知された温度に基づいて、前記複数の発熱体に加熱される複数の加熱領域を選択的に加熱すべく、前記複数の発熱体に供給される電力を選択的に制御する通電制御部と、
を備える像加熱装置において、
前記複数の温度検知素子のうち少なくとも２つの温度検知素子が、前記複数の発熱体によって加熱される前記複数の加熱領域のそれぞれに配置されており、
前記通電制御部は、前記複数の加熱領域のうち記録材が通過しない非通過加熱領域を加熱するために前記複数の発熱体へ供給される電力を、前記非通過加熱領域に配置された前記複数の温度検知素子のうち、前記記録材の搬送基準位置から最も遠い温度検知素子によって検知された温度に基づいて、制御することを特徴とする像加熱装置。
【請求項２】
前記通電制御部は、前記非通過加熱領域を加熱するために前記複数の発熱体に供給される電力を、前記搬送基準位置から最も遠い前記温度検知素子によって検知された温度に基づいて、前記複数の加熱領域のうち前記記録材が通過する通過加熱領域を加熱する際の目標温度よりも低い温度を目標温度として、制御することを特徴とする請求項１に記載の像加熱装置。
【請求項３】
前記通電制御部は、前記非通過加熱領域を加熱するための前記発熱体に供給する電力量を、前記搬送基準位置から最も遠い前記温度検知素子によって検知された温度に基づいて、前記複数の加熱領域のうち前記記録材が通過する通過加熱領域を加熱するための前記発熱体に供給する電力量よりも小さい電力量に制御することを特徴とする請求項１または２に記載の像加熱装置。
【請求項４】
基板と、前記基板上に設けられた前記基板の長手方向に並ぶ複数の発熱体と、を有するヒータを有し、前記ヒータの熱を利用して記録材に形成された画像を加熱する像加熱部と、
前記複数の発熱体の温度を検知する複数の温度検知素子と、
前記温度検知素子のそれぞれによって検知された温度に基づいて、前記複数の発熱体に加熱される複数の加熱領域を選択的に加熱すべく、前記複数の発熱体に供給される電力を選択的に制御する通電制御部と、
を備える像加熱装置において、
前記複数の温度検知素子のうち少なくとも２つの温度検知素子が、前記複数の発熱体に加熱される前記複数の加熱領域のそれぞれに配置されており、
前記通電制御部は、前記複数の加熱領域のうち記録材に形成された画像が通過しない非画像加熱領域を加熱するために前記複数の発熱体に供給される電力を、前記非画像加熱領域に配置された前記複数の温度検知素子のうち、前記記録材の搬送基準位置から最も遠い温度検知素子によって検知された温度に基づいて、制御することを特徴とする像加熱装置。
【請求項５】
前記通電制御部は、前記非画像加熱領域を加熱するために前記複数の発熱体に供給される電力を、前記搬送基準位置から最も遠い前記温度検知素子によって検知された温度に基づいて、前記複数の加熱領域のうち前記記録材に形成された画像が通過する画像加熱領域を加熱する際の目標温度よりも低い温度を目標温度として、制御することを特徴とする請求項４に記載の像加熱装置。
【請求項６】
前記通電制御部は、前記非画像加熱領域を加熱するための前記発熱体に供給する電力量を、前記搬送基準位置から最も遠い前記温度検知素子によって検知された温度に基づいて、前記複数の加熱領域のうち前記記録材に形成された画像が通過する画像加熱領域を加熱するための前記発熱体に供給する電力量よりも小さい電力量に制御することを特徴とする請求項４または５に記載の像加熱装置。
【請求項７】
内面が前記ヒータに接触しつつ回転する筒状のフィルムを有し、前記記録材上の画像は前記筒状のフィルムを介して加熱されることを特徴とする請求項１〜６のいずれか１項に記載の像加熱装置。
【請求項８】
記録材に画像を形成する画像形成部と、
前記記録材に形成された画像を前記記録材に定着する定着部と、
を有する画像形成装置において、
前記定着部は、
基板と、前記基板上に設けられた前記基板の長手方向に並ぶ複数の発熱体とを有するヒータと、を有し、前記ヒータの熱を利用して前記記録材に形成された画像を加熱する像加熱部と、
前記複数の発熱体の温度を検知する複数の温度検知素子と、
前記複数の温度検知素子のそれぞれによって検知された温度に基づいて、前記複数の発熱体に加熱される複数の加熱領域を選択的に加熱すべく、前記複数の発熱体に供給される電力を選択的に制御する通電制御部と、
を有し、
前記複数の温度検知素子のうち少なくとも２つの温度検知素子が、前記複数の発熱体によって加熱される前記複数の加熱領域のそれぞれに配置されており、
前記通電制御部は、前記複数の加熱領域のうち記録材が通過しない非通過加熱領域を加熱するために前記複数の発熱体へ供給される電力を、前記非通過加熱領域に配置された前記複数の温度検知素子のうち、前記記録材の搬送基準位置から最も遠い温度検知素子によって検知された温度に基づいて、制御することを特徴とする画像形成装置。
【手続補正２】
【補正対象書類名】明細書
【補正対象項目名】００１４
【補正方法】変更
【補正の内容】
【００１４】
上記目的を達成するため、本発明の像加熱装置は、
基板と、前記基板上に設けられた前記基板の長手方向に並ぶ複数の発熱体と、を有するヒータを有し、前記ヒータの熱を利用して記録材に形成された画像を加熱する像加熱部と、
前記複数の発熱体の温度を検知する複数の温度検知素子と、
前記複数の温度検知素子のそれぞれによって検知された温度に基づいて、前記複数の発熱体に加熱される複数の加熱領域を選択的に加熱すべく、前記複数の発熱体に供給される電力を選択的に制御する通電制御部と、
を備える像加熱装置において、
前記複数の温度検知素子のうち少なくとも２つの温度検知素子が、前記複数の発熱体によって加熱される前記複数の加熱領域のそれぞれに配置されており、
前記通電制御部は、前記複数の加熱領域のうち記録材が通過しない非通過加熱領域を加熱するために前記複数の発熱体へ供給される電力を、前記非通過加熱領域に配置された前記複数の温度検知素子のうち、前記記録材の搬送基準位置から最も遠い温度検知素子によって検知された温度に基づいて、制御する
ことを特徴とする。
上記目的を達成するため、本発明の像加熱装置は、
基板と、前記基板上に設けられた前記基板の長手方向に並ぶ複数の発熱体と、を有するヒータを有し、前記ヒータの熱を利用して記録材に形成された画像を加熱する像加熱部と、
前記複数の発熱体の温度を検知する複数の温度検知素子と、
前記温度検知素子のそれぞれによって検知された温度に基づいて、前記複数の発熱体に加熱される複数の加熱領域を選択的に加熱すべく、前記複数の発熱体に供給される電力を選択的に制御する通電制御部と、
を備える像加熱装置において、
前記複数の温度検知素子のうち少なくとも２つの温度検知素子が、前記複数の発熱体に加熱される前記複数の加熱領域のそれぞれに配置されており、
前記通電制御部は、前記複数の加熱領域のうち記録材に形成された画像が通過しない非画像加熱領域を加熱するために前記複数の発熱体に供給される電力を、前記非画像加熱領域に配置された前記複数の温度検知素子のうち、前記記録材の搬送基準位置から最も遠い温度検知素子によって検知された温度に基づいて、制御する
ことを特徴とする。
上記目的を達成するため、本発明の画像形成装置は、
記録材に画像を形成する画像形成部と、
前記記録材に形成された画像を前記記録材に定着する定着部と、
を有する画像形成装置において、
前記定着部は、
基板と、前記基板上に設けられた前記基板の長手方向に並ぶ複数の発熱体とを有するヒータと、を有し、前記ヒータの熱を利用して前記記録材に形成された画像を加熱する像加熱部と、
前記複数の発熱体の温度を検知する複数の温度検知素子と、
前記複数の温度検知素子のそれぞれによって検知された温度に基づいて、前記複数の発熱体に加熱される複数の加熱領域を選択的に加熱すべく、前記複数の発熱体に供給される電力を選択的に制御する通電制御部と、
を有し、
前記複数の温度検知素子のうち少なくとも２つの温度検知素子が、前記複数の発熱体によって加熱される前記複数の加熱領域のそれぞれに配置されており、
前記通電制御部は、前記複数の加熱領域のうち記録材が通過しない非通過加熱領域を加熱するために前記複数の発熱体へ供給される電力を、前記非通過加熱領域に配置された前記複数の温度検知素子のうち、前記記録材の搬送基準位置から最も遠い温度検知素子によって検知された温度に基づいて、制御することを特徴とする。